(57)【要約】【課題】ステータコアと、ステータコアにボビンを介して巻装されるコイルとで構成されるステータを有するブラシレスモータのロータに、回転軸が同軸に設けられ、ブラシレスモータで駆動されるウエスコポンプのポンプケース内に、回転軸の一端部がポンプケースとの間に軸受を介在させて突入され、ポンプケース内で前記回転軸にインペラが相対回転不能に取付けられる液体供給装置において、回転軸およびポンプケース間に介装される軸受にかかる負荷を軽減し、軸受の偏摩耗を防止する。【解決手段】ポンプケース内で液圧が周方向に変化することに起因して回転軸２５にかかる反力が周方向で不均等になるのに応じて回転軸２５から軸受２６にかかる負荷を、ロータ１９に作用する磁力を周方向で不均等化して補正する軸受負荷補正手段３７Ａがステータ１８に設けられる。【選択図】      図２
2017150388.tif 000002
【特許請求の範囲】
【請求項１】
周方向に等間隔をあけた複数の歯部（１５ａ〜１５ｆ，４５ａ〜４５ｆ）が環状ヨーク部（１５ｇ，４５ｇ）の内周に半径方向内方に突出するように設けられて成るステータコア（１５，４５）と、前記歯部（１５ａ〜１５ｆ，４５ａ〜４５ｆ）に個別に対応した巻線部（１６ａ〜１６ｆ，４６ａ〜４６ｆ）を有しつつ前記ステータコア（１５，４５）にボビン（１７）を介して巻装されるコイル（１６，４６）とで構成されるステータ（１８，４８）を有するブラシレスモータ（６Ａ，６Ｂ）のロータ（１９）に、回転軸（２５）が同軸に設けられ、前記ブラシレスモータ（６Ａ，６Ｂ）で駆動されるウエスコポンプ（５）のポンプケース（１１）内に、前記回転軸（２５）の一端部が前記ポンプケース（１１）との間に軸受（２６）を介在させて突入され、前記ポンプケース（１１）内で前記回転軸（２５）にインペラ（９）が相対回転不能に取付けられる液体供給装置において、前記ポンプケース（１１）内で液圧が周方向に変化することに起因して前記回転軸（２５）にかかる反力が周方向で不均等になるのに応じて前記回転軸（２５）から前記軸受（２６）にかかる負荷を、前記ロータ（１９）に作用する磁力を周方向で不均等化して補正する軸受負荷補正手段（３７Ａ，３７Ｂ）が前記ステータ（１８，４８）に設けられることを特徴とする液体供給装置。
【請求項２】
前記軸受負荷補正手段（３７Ａ）は、前記ステータ（１８）が備える複数の前記歯部（１５ａ〜１５ｆ）のうち少なくとも１つの歯部（１５ａ）の少なくとも一部の前記ロータ（１９）の外面への対向端部が、残余の歯部（１５ｂ〜１５ｆ）の前記ロータ（１９）の外面への対向端部に比べて前記ロータ（１９）の半径方向に沿う外方位置に在るように形成されて成ることを特徴とする請求項１に記載の液体供給装置。
【請求項３】
前記軸受負荷補正手段（３７Ａ）が、前記ステータ（１８）の軸方向全長のうち前記ウエスコポンプ（５）寄りの一部だけに設けられることを特徴とする請求項２に記載の液体供給装置。
【請求項４】
前記軸受負荷補正手段（３７Ｂ）が、前記ステータ（４８）が備える複数の前記歯部（４５ａ〜４５ｆ）のうち少なくとも１つの歯部（４５ａ）に対応する部分での前記巻線部（４６ａ）の巻線回数が、残余の歯部（４５ｂ〜４５ｆ）に対応する部分での前記巻線部（４６ｂ〜４６ｆ）の巻線回数よりも少なく設定されて成ることを特徴とする請求項１に記載の液体供給装置。
【請求項５】
前記ポンプケース（１１）に対する前記軸受負荷補正手段（３７Ａ，３７Ｂ）の位置を定める位置決め手段（３８）を備えることを特徴とする請求項１〜４のいずれか１項に記載の液体供給装置。
【請求項６】
前記軸受（２６）が滑り軸受であることを特徴とする請求項１〜５のいずれか１項に記載の液体供給装置。
【発明の詳細な説明】
【技術分野】
【０００１】
本発明は、周方向に等間隔をあけた複数の歯部が環状ヨーク部の内周に半径方向内方に突出するように設けられて成るステータコアと、前記歯部に個別に対応した巻線部を有しつつ前記ステータコアにボビンを介して巻装されるコイルとで構成されるステータを有するブラシレスモータのロータに、回転軸が同軸に設けられ、前記ブラシレスモータで駆動されるウエスコポンプのポンプケース内に、前記回転軸の一端部が前記ポンプケースとの間に軸受を介在させて突入され、前記ポンプケース内で前記回転軸にインペラが相対回転不能に取付けられる液体供給装置に関する。
【背景技術】
【０００２】
ブラシレスモータのロータに同軸に設けられる回転軸の一端部が、ウエスコポンプのポンプケース内に当該ポンプケースとの間に軸受を介在させて突入され、前記ポンプケース内で前記回転軸にインペラが相対回転不能に取付けられるようにした液体供給装置としての燃料供給装置が、特許文献１で知られている。
【先行技術文献】
【特許文献】
【０００３】
【特許文献１】特許第４８９３９９１号公報
【発明の概要】
【発明が解決しようとする課題】
【０００４】
ところで上記特許文献１で開示されるものでは、ウエスコポンプのポンプケース内で液圧が周方向に変化することに基づき、回転軸にかかる反力が周方向で不均等になり、それによって回転軸から軸受にその半径方向に沿う負荷が生じ、軸受の偏摩耗が生じる可能性がある。
【０００５】
本発明は、かかる事情に鑑みてなされたものであり、回転軸およびポンプケース間に介装される軸受にかかる負荷を軽減し、軸受の偏摩耗を防止し得るようにした液体供給装置を提供することを目的とする。
【課題を解決するための手段】
【０００６】
上記目的を達成するために、本発明は、周方向に等間隔をあけた複数の歯部が環状ヨーク部の内周に半径方向内方に突出するように設けられて成るステータコアと、前記歯部に個別に対応した巻線部を有しつつ前記ステータコアにボビンを介して巻装されるコイルとで構成されるステータを有するブラシレスモータのロータに、回転軸が同軸に設けられ、前記ブラシレスモータで駆動されるウエスコポンプのポンプケース内に、前記回転軸の一端部が前記ポンプケースとの間に軸受を介在させて突入され、前記ポンプケース内で前記回転軸にインペラが相対回転不能に取付けられる液体供給装置において、前記ポンプケース内で液圧が周方向に変化することに起因して前記回転軸にかかる反力が周方向で不均等になるのに応じて前記回転軸から前記軸受にかかる負荷を、前記ロータに作用する磁力を周方向で不均等化して補正する軸受負荷補正手段が前記ステータに設けられることを第１の特徴とする。
【０００７】
また本発明は、第１の特徴の構成に加えて、前記軸受負荷補正手段は、前記ステータが備える複数の前記歯部のうち少なくとも１つの歯部の少なくとも一部の前記ロータの外面への対向端部が、残余の歯部の前記ロータの外面への対向端部に比べて前記ロータの半径方向に沿う外方位置に在るように形成されて成ることを第２の特徴とする。
【０００８】
本発明は、第２の特徴の構成に加えて、前記軸受負荷補正手段が、前記ステータの軸方向全長のうち前記ウエスコポンプ寄りの一部だけに設けられることを第３の特徴とする。
【０００９】
本発明は、第１の特徴の構成に加えて、前記軸受負荷補正手段が、前記ステータが備える複数の前記歯部のうち少なくとも１つの歯部に対応する部分での前記巻線部の巻線回数が、残余の歯部に対応する部分での前記巻線部の巻線回数よりも少なく設定されて成ることを第４の特徴とする。
【００１０】
本発明は、第１〜第４の特徴の構成のいずれかに加えて、前記ポンプケースに対する前記軸受負荷補正手段の位置を定める位置決め手段を備えることを第５の特徴とする。
【００１１】
さらに本発明は、第１〜第５の特徴の構成のいずれかに加えて、前記軸受が滑り軸受であることを第６の特徴とする。
【発明の効果】
【００１２】
本発明の第１の特徴によれば、ウエスコポンプ側で軸受にかかる負荷をブラシレスモータのステータに設けられる軸受負荷補正手段で補正することができ、ポンプケースおよび回転軸間の軸受にかかる負荷を軽減し、軸受の偏摩耗を防止することができる。
【００１３】
また本発明の第２の特徴によれば、複数の歯部のうち少なくとも１つの歯部の少なくとも一部のロータの外面への対向端部が残余の歯部に比べてロータの半径方向に沿う外方位置に在るようにすることで、ロータに作用する磁力を周方向で不均等化することができ、軸受負荷補正手段を簡単に構成することができる。
【００１４】
本発明の第３の特徴によれば、回転軸の首振り運動を抑えることができる。すなわちウエスコポンプのインペラは、ロータに同軸に設けられる回転軸の一端部に固定されるのでウエスコポンプ側で回転軸にかかる負荷によって回転軸の傾きが生じて回転軸の首振り運動が生じる可能性があるが、軸受負荷補正手段がステータのうちウエスコポンプ寄りの一部だけに設けられることで、回転軸の首振り運動が軽減されることになる。
【００１５】
本発明の第４の特徴によれば、少なくとも１つの歯部に対応する部分での巻線部の巻線回数を、残余の歯部に対応する部分での巻線部の巻線回数よりも少なくすることで、ロータに作用する磁力を周方向で不均等化することができ、軸受負荷補正手段を簡単に構成することができる。
【００１６】
本発明の第５の特徴によれば、ポンプケースに対する軸受負荷補正手段の位置が位置決め手段で定められるので、ブラシレスモータに対するウエスコポンプの誤組が生じるのを防止することができる。
【００１７】
さらに本発明の第５の特徴によれば、ポンプケースおよび回転軸間の軸受を廉価な滑り軸受としてコスト低減を図りつつ、滑り軸受の偏摩耗を防止することができる。
【図面の簡単な説明】
【００１８】
【図１】第１の実施の形態の燃料供給装置の縦断面図である。
【図２】図１の２−２線断面図である。
【図３】ポンプケース内を図１の３−３線に沿って示す図である。
【図４】第２の実施の形態の図２に対応した断面図である。
【発明を実施するための形態】
【００１９】
本発明の実施の形態を添付の図面を参照しながら説明する。
【００２０】
本発明の第１の実施の形態について図１〜図３を参照しながら説明すると、先ず図１において、この液体供給装置は、たとえば車載エンジンに燃料を供給するための燃料供給装置であり、ウエスコポンプ５と、該ウエスコポンプ５を駆動するブラシレスモータ６Ａとが、中空の円筒状である共通のユニットケース７に内蔵、結合されて成る。
【００２１】
前記ウエスコポンプ５は、放射状の多数の溝８を外周に有するインペラ９と、そのインペラ９の外周を臨ませるようにして円弧状に延びるポンプ室１０を有して前記インペラ９を回転可能に収納するポンプケース１１とを備える。前記ポンプケース１１は、外側ケース半体１２と、内側ケース半体１３とで分割構成されており、外側ケース半体１２および内側ケース半体１３間に前記インペラ９が介装されるとともに前記ポンプ室１０が画成される。
【００２２】
前記ポンプケース１１は、軸方向外方に臨んで前記ユニットケース７の内面に形成される環状段部７ａと、前記ユニットケース７の一端部に形成される第１のかしめ加工部７ｂとで挟持されるようにして、前記ユニットケース７の一端部に収容される。
【００２３】
図２を併せて参照して、前記ブラシレスモータ６Ａは、積層された複数枚の磁性鋼板が相互にかしめ結合されて成るステータコア１５ならびにボビン１７を介して前記ステータコア１５に巻装されるコイル１６とで構成されるステータ１８と、そのステータ１８内に配置されるロータ１９とを有する。
【００２４】
前記ステータコア１５は、複数たとえば第１〜第６の歯部１５ａ，１５ｂ，１５ｃ，１５ｄ，１５ｅ，１５ｆが環状ヨーク部１５ｇの内周に半径方向内方に突出するように設けられて成り、このステータコア１５には、３相（Ｕ相、Ｖ相、Ｗ相）に分かれた少なくとも一組の前記コイル１６がボビン１７を介して巻装されるものであり、前記コイル１６は、第１〜第６の歯部１５ａ〜１５ｆに個別に対応した第１〜第６の巻線部１６ａ，１６ｂ，１６ｃ，１６ｄ，１６ｅ，１６ｆを有し、巻き付け数を同一とした第１〜第６の巻線部１６ａ〜１６ｆが第１〜第６の歯部１５ａ〜１５ｆにボビン１７を介して巻き付けられる。
【００２５】
前記コイル１６に連なる３個の接続端子２０が前記ボビン１７に差し込んで支持される。また前記ステータ１８の軸方向一端部は樹脂から成る第１被覆部２１で覆われ、前記ステータ１８の軸方向他端部は、前記接続端子２０の前記ボビン１７とは反対側の端部を前記ユニットケース７の外部に臨ませるようにして樹脂から成る第２被覆部２２で覆われており、前記ブラシレスモータ６Ａは、前記ウエスコポンプ５の前記ポンプケース１１と、第１被覆部２１との間に円板状のスペーサ２３を介在させて前記ユニットケース７に挿入され、前記ユニットケース７の他端部に形成される第２のかしめ加工部７ｃを第２被覆部２２に係合することで、前記ブラシレスモータ６Ａが前記ユニットケース７に内蔵される。
【００２６】
前記ロータ１９は周方向に複数の磁極に着磁される永久磁石から成り、このロータ１９に、該ロータ１９を貫通する回転軸２５が同軸に設けられる。前記回転軸２５の一端部は、前記スペーサ２３を貫通し、前記ポンプケース１１との間に第１の滑り軸受２６を介在させて前記ポンプケース１１内に突入される。前記ポンプケース１１内で前記回転軸２５にインペラ９が相対回転不能に取付けられるものであり、この実施の形態では、前記インペラ９の中央部には非円形の取付け孔２７が設けられ、前記インペラ９に対応する部分で前記回転軸２５の一端部には、前記取付け孔２７の断面形状に対応した断面形状の非円形部２５ａが設けられる。前記非円形部２５ａが前記取付け孔２７に挿入されることで、前記インペラ９が前記回転軸２５の多少の傾きを許す程度の遊びを持って前記回転軸２５に相対回転不能に取付けられ、前記ポンプケース１１の前記外側ケース半体１２および前記内側ケース半体１３で前記インペラ９の軸方向に沿う移動が阻止される。
【００２７】
前記ポンプケース１１の前記内側ケース半体１３には、前記回転軸２５を同軸に囲繞する円筒状の軸受ハウジング１３ａが一体に設けられており、その軸受ハウジング１３ａおよび前記回転軸２５間に、第１の滑り軸受２６が介装される。また前記回転軸２５の他端部は、第２被覆部２２に第２の滑り軸受２８を介して回転自在に支持される。
【００２８】
前記ポンプケース１１における前記外側ケース半体１２には、前記ポンプ室１０の周方向一端部に通じる吸込ポート２９が形成され、前記内側ケース半体１３には、前記ポンプ室１０の周方向他端部に通じる吐出ポート３０が形成される。しかも外側ケース半体１２には、前記吸込ポート２９に直接連通する円筒状の吸込管１２ａが外向きに一体に突設されるととともに、ポンプケース１１内でのポンプ作用に伴って生じた気泡を排出するための脱気孔３１が形成される。
【００２９】
前記ブラシレスモータ６Ａにおける前記ロータ１９および前記ステータ１８間には、前記吐出ポートに通じる通路３２が形成され、第２被覆部２２には、前記通路３２に通じる燃料出口室３３が形成される。しかも第２被覆部２２には、ポンプ作動時に高圧燃料を吐出するための円筒状の吐出管２２ａが一体に突設され、その吐出管２２ａ内には、前記燃料出口室３３から前記吐出管２２ａの先端の燃料吐出口３４側へのみ燃料の流動を許容する逆流防止用のチェック弁３５が収納される。
【００３０】
ところで前記ポンプケース１１内の前記ポンプ室１０では、前記インペラ９の回転に応じて前記吸込みポート２９から前記吐出ポート３０に向かうにつれて液圧が周方向に変化するものであり、この液圧の変化に起因して前記回転軸２５には周方向で不均等となる反力が作用する。すなわち図３において、高圧側で前記回転軸２５にかかる反力をその大きさが矢印の長さで表されるようにして実線矢印で示し、低圧側で前記回転軸２５にかかる反力をその大きさが矢印の長さで表されるようにして白抜き矢印で示すと、それらの反力の大きさはウエスコポンプ５の周方向で変化し、それらの反力が相互に相殺し合うことで、図３の点線矢印で示すように回転軸２５にその半径方向に沿うサイドフォース３６が作用することになる。
【００３１】
このようなサイドフォース３６によれば、ポンプケース１１および前記回転軸２５間に介装される第１の滑り軸受２６に前記サイドフォース３６による負荷が作用し、第１の滑り軸受２６の偏摩耗が生じる可能性がある。そこで本発明に従えば、前記回転軸２５から第１の滑り軸受２６にかかる負荷を、前記ロータ１９に作用する磁力を周方向で不均等化して補正する軸受負荷補正手段３７Ａが、前記ステータ１８に設けられる。
【００３２】
図２に注目して、前記軸受負荷補正手段３７Ａは、前記ステータ１８が備える第１〜第６の歯部１５ａ〜１５ｆのうち少なくとも１つの歯部の少なくとも一部の前記ロータ１９の外面への対向端部が、残余の歯部の前記ロータ１９の外面への対向端部に比べて前記ロータ１９の半径方向に沿う外方位置に在るように形成されて成る。
【００３３】
この実施の形態によれば、第１〜第６の歯部１５ａ〜１５ｆのうち、前記ウエスコポンプ５側で前記回転軸２５に作用する前記サイドフォース３６に対向する位置に在る歯部たとえば第１の歯部１５ａの前記ロータ１９の外面への対向端部が、第２〜第６の歯部１５ｂ〜１５ｆの前記ロータ１９の外面への対向端部に比べて前記ロータ１９の半径方向に沿う外方位置に在るように形成されることで前記軸受負荷補正手段３７Ａが構成されるものであり、第１の歯部１５ａの前記ロータ１９の外面への対向端部が、前記ロータ１９および前記回転軸２５の軸線Ｃを中心とした第１の半径Ｒ１の第１の仮想円Ｃ１に沿うように形成されるのに対して、第２〜第６の歯部１５ｂ〜１５ｆの前記ロータ１９の外面への対向端部は、第１の半径Ｒ１よりも小さな第２の半径Ｒ２で前記ロータ１９および前記回転軸２５の軸線Ｃを中心とした第２の仮想円Ｃ２に沿うように形成される。
【００３４】
このような軸受負荷補正手段３７Ａによれば、前記回転軸２５から第１の滑り軸受２６にかかる負荷が、前記ロータ１９に作用する磁力が周方向で不均等化することになり、図２の白抜き矢印で示すように、前記サイドフォース３６に対向する磁気吸引力が前記ロータ１９および前記回転軸２５に作用することになる。
【００３５】
しかも前記軸受負荷補正手段３７Ａが設けられるのは、前記ステータ１８の軸方向全長のうち前記ウエスコポンプ５寄りの一部の範囲Ａ（図１参照）だけに設けられる。
【００３６】
図１に注目して、前記ポンプケース１１に対する前記軸受負荷補正手段３７Ａの位置は位置決め手段３８で定められるものであり、この位置決め手段３８は、たとえば前記ステータ１８の前記ボビン１７のうち前記ポンプケース１１側の端部外周面に突設されて前記回転軸２５の軸方向に延びるステータ側位置決め突起３９と、前記ポンプケース１１における前記内側ケース１３の外周面に突設されて前記回転軸２５の軸方向に延びるポンプケース側位置決め突起４０と、それらの位置決め突起３９，４０を嵌合させるようにして前記ユニットケース７の内周面に形成される位置決め溝４１とで構成される。
【００３７】
次にこの第１の実施の形態の作用について説明すると、ポンプケース１１内で液圧が周方向に変化することに起因して回転軸２５にかかる反力が周方向で不均等になるのに応じて前記回転軸２５からポンプケース１１および回転軸２５間に介装される第１の滑り軸受２６にかかる負荷を、前記ロータ１９に作用する磁力を周方向で不均等化して補正する軸受負荷補正手段３７Ａが、ブラシレスモータ６Ａのステータ１８に設けられるので、ウエスコポンプ５側で第１の滑り軸受２６にかかる負荷をブラシレスモータ６Ａのステータ１８に設けられる軸受負荷補正手段３７Ａで補正することができ、ポンプケース１１および回転軸２５間の第１の滑り軸受２６にかかる負荷を軽減し、廉価な滑り軸受を用いることでコスト低減を図りつつ、第１の滑り軸受２６の偏摩耗を防止することができる。
【００３８】
また前記軸受負荷補正手段３７Ａは、前記ステータ１８が備える第１〜第６の歯部１５ａ〜１５ｆのうち少なくとも１つである第１の歯部１５ａの少なくとも一部のロータ１９の外面への対向端部が、残余の歯部である第２〜第６の歯部１５ｂ〜１５ｆの前記ロータ１９の外面への対向端部に比べて前記ロータ１９の半径方向に沿う外方位置に在るように形成されて成るので、ロータ１９に作用する磁力を周方向で不均等化することができ、軸受負荷補正手段３７Ａを簡単に構成することができる。
【００３９】
また前記軸受負荷補正手段３７Ａが、前記ステータ１８の軸方向全長のうち前記ウエスコポンプ５寄りの一部だけに設けられるので、回転軸２５の首振り運動を抑えることができる。すなわちウエスコポンプ５のインペラ９は、ロータ１９に同軸に設けられる回転軸２５の一端部に固定されるのでウエスコポンプ５側で回転軸２５にかかる負荷によって回転軸２５の傾きが生じて回転軸２５の首振り運動が生じる可能性があるが、軸受負荷補正手段３７Ａがステータ１８のうちウエスコポンプ５寄りの一部だけに設けられることで、回転軸２５の首振り運動が軽減されることになる。
【００４０】
また前記ポンプケース１１に対する前記軸受負荷補正手段３７Ａの位置が位置決め手段３８で定められるので、ブラシレスモータ６Ａに対するウエスコポンプ５の誤組が生じるのを防止することができる。
【００４１】
本発明の第２の実施の形態について図４を参照しながら説明するが、上記第１の実施の形態に対応する部分には同一の参照符号を付して図示するのみとし、詳細な説明は省略する。
【００４２】
ブラシレスモータ６Ｂは、周方向に等間隔をあけた複数たとえば第１〜第６の歯部４５ａ，４５ｂ，４５ｃ，４５ｄ，４５ｅ，４５ｆが同一形状を有しつつ半径方向内方に突出するようにして環状ヨーク部４５ｇの内周に設けられて成るステータコア４５と、第１〜第６の歯部に個別に対応した第１〜第６の巻線部４６ａ，４６ｂ，４６ｃ，４６ｄ，４６ｅ，４６ｆを有しつつボビン１７を介して前記ステータコア４５に巻装されるコイル４６とで構成されるステータ４８と、そのステータ４８内に配置されるロータ１９とを有する。
【００４３】
前記ステータ４８に設けられる軸受負荷補正手段３７Ｂは、前記ステータ１８が備える第１〜第６の歯部４５ａ〜４５ｆのうち少なくとも１つの歯部に対応する部分での前記巻線部の巻線回数が、残余の歯部に対応する部分での前記巻線部の巻線回数よりも少なく設定されて成るものであり、この実施の形態では、第１〜第６の歯部４５ａ〜４５ｆのうち、前記ウエスコポンプ５側で前記回転軸２５に作用する前記サイドフォース３６（第１の実施の形態参照）に対向する位置に在る歯部たとえば第１の歯部４５ａに対応した第１の巻線部４６ａの巻線回数が、第２〜第６の歯部４５ｂ〜４６ｆに個別に対応した第２〜第６の巻線部４６ｂ〜４６ｆの巻線回数よりも少なく設定されることで前記軸受負荷補正手段３７Ｂが構成される。
【００４４】
このような第２の実施の形態の軸受負荷補正手段３７Ｂによっても、ロータ１９に作用する磁力を周方向で不均等化することができ、ウエスコポンプ５側で回転軸２５にかかるサイドフォース３６に対向する磁気吸引力を、白抜き矢印で示すようにロータ１９および回転軸２５に作用させるようにした軸受負荷補正手段３７Ｂを簡単に構成することができる。
【００４５】
以上、本発明の実施の形態について説明したが、本発明は上記実施の形態に限定されるものではなく、特許請求の範囲に記載された本発明を逸脱することなく種々の設計変更を行うことが可能である。
【００４６】
たとえば上述の第１の実施の形態では、第１〜第６の歯部１５ａ〜１５ｆのうちウエスコポンプ５側で回転軸２５に作用するサイドフォース３６に対向する位置に在る第１の歯部１５ａのロータ１９の外面への対向端部が、第２〜第６の歯部１５ｂ〜１５ｆの前記ロータ１９の外面への対向端部に比べて前記ロータ１９の半径方向に沿う外方位置に在るようにした軸受負荷補正手段３７Ａを構成するにあたって、第１の歯部１５ａの前記ロータ１９の外面への対向端部が前記ロータ１９および回転軸２５の軸線Ｃを中心とした第１の仮想円Ｃ１に沿うように形成されるようにしたが、第１の歯部１５ａの前記ロータ１９の外面への対向端部が、前記ロータ１９および回転軸２５の軸線Ｃから偏心した位置を中心とした仮想円に沿うように形成されてもよく、また周方向に変化する曲率となるように形成されてもよい。さらに第１の歯部１５ａだけでなく、第１の歯部１５ａに周方向で隣接する第２および第６の歯部１５ｂ，１６ｆの前記ロータ１９の外面への対向端部のうち第１の歯部１５ａ側の一部が削られるようにしてもよい。
【符号の説明】
【００４７】
５・・・ウエスコポンプ
６Ａ，６Ｂ・・・ブラシレスモータ
９・・・インペラ
１１・・・ポンプケース
１５，４５・・・ステータコア
１５ａ〜１５ｆ，４５ａ〜４５ｆ・・・歯部
１５ｇ，４５ｇ・・・環状ヨーク部
１６，４６・・・コイル
１６ａ〜１６ｆ，４６ａ〜４６ｆ・・・巻線部
１７・・・ボビン
１９・・・ロータ
２５・・・回転軸
２６・・・滑り軸受
３７Ａ，３７Ｂ・・・軸受負荷補正手段
３８・・・位置決め手段
【図１】
2017150388.tif 000003
【図２】
2017150388.tif 000004
【図３】
2017150388.tif 000005
【図４】
2017150388.tif 000006